(57)【要約】【課題】様々な形状と寸法のキーを保持すると共に、キー出し入れセンサを操作できるキー保持機構を備えた施錠確認支援装置を提供すること。【解決手段】施錠確認支援装置は、カム状押え部材２によってキー本体をキー収納室１ｂの壁面に押圧してキーＫを保持するキーケース１を有する。カム状押え部材２は、キー収納室１ｂの壁面の方向に押えバネ４によって付勢されるようにして、キー収納室１ｂの出入口近くに回転可能に配置されている。キーＫがキー収納室１ｂに収納されると、検出スイッチ型キー出し入れセンサ５はオフ信号を発生する。キーＫがキー収納室１ｂから取り出されると、カム状押え部材２のスイッチ操作端５ａは検出スイッチ型キー出し入れセンサ５の可動接点５ｂと係合してその固定接点５ａと接触させオン信号を発生する。【選択図】    図１
2004332481.tif 000002
【特許請求の範囲】
【請求項１】
押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を施錠時刻として記憶し表示する電子時計とから構成された施錠確認支援装置において、前記押え部材は前記キー収納室の出入口近くに回転可能に配置されてその壁面の方向に押さえバネによって付勢されたカム状部材であることを特徴とする施錠確認支援装置。
【請求項２】
前記キー出し入れセンサは、前記キーケース内に配置されて前記押え部材で操作される検出スイッチであることを特徴とする請求項１の施錠確認支援装置。
【請求項３】
前記カム状押え部材は、回転軸に対して直角に形成された凹部とその左右に形成された一対の翼状押え部とを有する合成樹脂製カム状押え部材であることを特徴とする請求項１の施錠確認支援装置。
【発明の詳細な説明】
【０００１】
【発明の属する技術分野】
本発明は、キーによる施錠が完了した時刻を記憶し表示して、利用者の施錠の確認を支援する施錠確認支援装置に関する。
【０００２】
【従来の技術】
外出した際に、施錠したか否か不安感に襲われることは誰もが体験することであろう。外出直後であれば引き返して施錠を再確認する人も少なくない。中には近所や親類に電話で依頼し安全を再確認して貰う心配性の人もいる。特に独り暮らしのお年寄りの多くが、しばしばこのような行為をしているようである。また、ガス、電気、戸締まり等の家庭内の安全点検確認にまつわる不安感についても、同様である。
【０００３】
そこで、このような不安を解消する施錠確認支援装置が特許第３３１２９００号公報（特許文献１）に開示されている。即ち、押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を確認時刻として記憶し表示する電子時計とから構成された施錠確認支援装置が開示されている。そして、前記電子時計は計時部と制御部と記憶部と表示部とを備えたものであり、前記押え部材は前記キー出し入れセンサを構成している金属製板バネである。
【０００４】
利用者がキーケースからキーを取り出すと、前記キー出し入れセンサはキー取り出し信号を発生する。すると、前記制御部は前記表示部に防災・防犯メッセージやマークを表示し、利用者に火の始末・戸締まりの確認を促す。施錠後に利用者がキーをキーケースに戻すと、前記キー出し入れセンサはキー戻し信号を発生する。すると、前記制御部は前記計時部が計時している現在時刻を施錠時刻として前記記憶部に記憶し前記表示部に表示させる。この施錠時刻の表示を見て、利用者は施錠したことと防災・防犯の確認をしたことを、自分の脳裏に明瞭に記憶することができる。前記記憶部に記憶されている施錠時刻は、確認ボタンを操作すると前記表示部に再表示される。これによって、利用者は施錠したことと防災・防犯の確認をしたことを再確認することができる。
【０００５】
上述の従来の施錠確認支援装置においては、その図８の断面図に示す如く、キーはキー本体を金属製板バネによって収納室の壁に押し付けられてキーケース内に保持されている。前記金属製板バネはキー出し入れセンサの接点バネ構成部材であるから、キー保持機構は構造が簡単であるという特長を有する。しかしながら、キー本体の中央付近を金属製板バネで挟持するキー保持機構では、様々な形状と寸法のキーを保持することが出来ないという問題がある。
【０００６】
【特許文献１】特許第３３１２９００号公報
【０００７】
【発明が解決しようとする課題】
解決しようとする課題は、様々な形状と寸法のキーを保持すると共に、キー出し入れセンサを操作できるキー保持機構を備えた施錠確認支援装置を提供することである。
【０００８】
【課題を解決するための手段】
上記課題を解決するために、押え部材によってキー本体をキー収納室の壁面に押圧してキーを保持するキーケースと、前記キーケースからキーが取り出されたこと又は前記キーケースにキーが戻されたことを検出するキー出し入れセンサと、前記キー出し入れセンサの出力信号が発生した時刻を施錠時刻として記憶し表示する電子時計とから構成された施錠確認支援装置において、前記押え部材をカム状部材とした。そして、このカム状押え部材を前記壁面の方向にバネによって付勢されるようにして前記キー収納室の出入口近くに回転可能に配置した。
【０００９】
前記キー出し入れセンサは前記キーケース内に配置されて前記押え部材で操作される検出スイッチである。
【００１０】
また、前記カム状押え部材は、回転軸に対して直角に形成された凹部とその左右に形成された一対の翼状押え部とを有する合成樹脂製カム状押え部材である。
【００１１】
【発明の実施の形態】
本発明に係る施錠確認支援装置、即ちキー出し入れセンサと前記キー出し入れセンサの出力信号が発生した時刻を施錠時刻として記憶し表示する電子時計とから構成された施錠確認支援装置の第１実施形態は、図１の断面図に示す如く、隔壁１ａによって区画されたキー収納部１ｂと電子部品等収納部１ｃとが形成されたキーケース１を備えるものである。キーケース１にはキー出入口１ｄと透明窓１ｅが形成されている。
【００１２】
キーケース１のキー収納部１ｂには、キーＫが収納されている。また、キーケース１の電子部品等収納部１ｃには、カム状押え部材２、押えバネ４、キー出し入れセンサ５、印刷配線板６、電子回路部７、液晶表示部８、操作スイッチ９、電池１０が収納されている。
【００１３】
即ち、カム状押え部材２は、キー収納室１ｂのキー出入口１ｄの近くに枢軸回転可能に配置されている。カム状押え部材２の回転軸３はキーケース１に固定されている。押えバネ４は、カム状押え部材２を図の反時計方向に付勢するようにしてケース１に固定されている。このように、カム状おさえ部材２の逃げ空間の厚みと電子部品等収納部１ｃの収納空間の厚みとを共用するケース構造としたことによって、施錠確認支援装置の薄型化を実現した。
【００１４】
キー出し入れセンサ５は固定接点５ａと可動接点５ｂとで構成された検出スイッチ型キー出し入れセンサである。検出スイッチ型キー出し入れセンサ５の固定接点５ａは印刷回路板６に固着されている。また、その固定端を印刷回路板６に固着された可動接点５ｂは、その自由端をカム状押え部材２の操作端部２ａと係合可能な位置まで延伸して配置されている。検出スイッチ型キー出し入れセンサ５は、リモコンや電卓の押しボタンスイッチ等で用いられているメンブレンスイッチにして同一基板上に作成することも可能である。
【００１５】
電子時計を構成する制御部やクロックやメモリ等の電子回路部７、操作スイッチ９及び電池１０は印刷回路板６に取付けられている。液晶表示部８は透明窓１ｅが設けられているキーケース１の壁面に取付けられている。
【００１６】
上述の第１実施形態の施錠確認支援装置において、カム状押え部材２がどのように機能するかを図２〜図４を参照して以下に説明する。キーＫがキーケース１から取り出された状態では、図２に示す如く、カム状押え部材２は押えバネ４の力によって反時計方向の限界位置まで回動させられている。この反時計方向の限界位置は、カム状押え部材２の先端部分がキーケース１のキー収納室１ｂの壁面に接する位置、又は検出スイッチ型キー出し入れセンサ５の可動接点５ｂを固定接点５ａに接触させるようにカム状押え部材２のスイッチ操作端部２ａが回動させられた位置である。従って、キーＫがキーケース１から取り出された状態では、カム状押え部材２のスイッチ操作端部２ａは可動接点５ｂの端部と係合しており、可動接点５ｂは固定接点５ａと接触状態にある。可動接点５ｂが固定接点５ａと接触した瞬間に、検出スイッチ型キー出し入れセンサ５はオン信号を発生する。
【００１７】
キーＫがキーケース１に収納された状態では、図３又は図４に示す如く、カム状押え部材２は押えバネ４の力に抗して時計方向に回動させられ、カム状押え部材２のスイッチ操作端部２ａはキー出し入れセンサ５の可動接点５ｂの端部を操作して、その固定接点５ａとの接触を解く。可動接点５ｂが固定接点５ａから離れた瞬間に、検出スイッチ型キー出し入れセンサ５はオフ信号を発生する。
【００１８】
図３は、薄いキーＫがキーケースに収納された状態におけるカム状押え部材２と検出スイッチ型キー出し入れセンサ５の相対的な位置関係を示す。また、図４は、厚いキーＫがキーケースに収納された状態におけるカム状押え部材２と検出スイッチ型キー出し入れセンサ５の相対的な位置関係を示している。
【００１９】
図１、図３及び図４に示すキーＫの収納状態から理解される通り、キーケース１のキー収納室１ｂの寸法は、対象となるキーのキー本体の最大厚さと最大長さに対応できるように選ばれている。また、カム状押え部材２のスイッチ操作端部２ａと検出スイッチ型キー出し入れセンサ５の可動接点５ｂの端部は、最も薄いキー本体のキーＫが収納されたときに係合するように、カム状押え部材２と検出スイッチ型キー出し入れセンサ５の可動接点５ｂとの相対的な位置関係が設定されている。
【００２０】
次に、本発明に係る施錠確認支援装置の第２実施形態は、図５の部分断面図（Ａ）と部分底面図（Ｂ）で示す如くである。図５において、１はキーケース、１ｂはキー収納室、２はカム状押え部材、４は押えバネ、５ｂはキー出し入れセンサの可動接点、６は印刷回路板である。なお、図５（Ａ）において、カム状押え部材２はキーがキー収納室１ｂに収納されていないときの回転位置と、キーがキー収納室１ｂに収納されているときの回転位置とが示されている。
【００２１】
第２実施形態の施錠確認支援装置に採用されているカム状押え部材と押えバネは、図６の拡大平面図（Ａ）と側面図（Ｂ）に示す如くである。即ち、第２実施形態の施錠確認支援装置において、カム状押え部材２は、回転軸２ｃに対して直角に形成された凹部２ａとその左右に形成された一対の翼状押え部２ｂとを有する合成樹脂製カム状押え部材である。カム状押え部材２を合成樹脂製とすることで、キーのキーの収納と取り出しが、従来の金属製押え部材に比べて極めて円滑に行えるようになった。
【００２２】
回転軸２ｃに対して直角に形成された凹部２ａの裏面は、キーがキーケース１から取り出されたときにはキー出し入れセンサの可動接点５ｂと係合してキー出し入れセンサのスイッチをオフにし、キーがキーケース１に収納されたときにはキー出し入れセンサの可動接点５ｂとの係合を解いてキー出し入れセンサのスイッチをオフにする。従って、回転軸２ｃに対して直角に形成された凹部２ａの裏面は、カム状押え部材２のスイッチ操作端部として機能するものである。また、回転軸２ｃに対して直角に形成された凹部２ａの表面は、キー本体に長手方向の突条が形成されたキーの収納を円滑に行う作用を有する。回転軸２ｃは、回転軸３と別体の第１実施形態におけるカム状押え部材と異なり、カム状押え部材と一体に形成されている。
【００２３】
押えバネ４は、弾性を有する金属線を折り曲げて、垂直な固定部４ａと水平な一対のバネ部４ｂとを形成したものである。なお、バネ部４ｂの寸法は、凹部２ａとその左右に形成された一対の翼状押え部２ｂを有するカム状押え部材２と係合するように選定されている。
【００２４】
上述の如く構成された本発明に係る施錠確認支援装置は、市販の殆どのキーに適用できるものである。これは、キー収納室の出入口近くに回転可能に配置されてその壁面の方向に押さえバネ４によって付勢されたカム状部材２をキーケース１に備えたからである。因みに、市販されている扉錠のキーの代表的なものは、キー本体の長さが３ｃｍ、幅が８ｍｍ、厚さが２ｍｍのもの、キー本体の長さが４０ｍｍ、幅が１０ｍｍ、厚さが４ｍｍのもの、キー本体の長さが２８ｍｍ、幅が７ｍｍ、厚さが２ｍｍのものである。また、ロッカー錠や机の引出し錠のキーは、例えば、キー本体の長さが２５ｍｍ、幅が１０ｍｍ、厚さが１．２ｍｍのものや、キー本体の長さが２０ｍｍ、幅が７ｍｍ、厚さが１．５ｍｍのものがある。
【００２５】
本発明に係る施錠確認支援装置は、ブロック回路図で示せば図６の如くである。即ち、本発明に係る施錠確認支援装置は、電子時計２０とキー出し入れセンサ３０とで構成されている。電子時計２０は、制御回路２１とクロック２３とから構成された制御部、メモリ２２で構成された記憶部、表示回路２４と表示素子２５で構成された表示部、操作ボタン２６及び電源２７を具備している。前記表示部、操作ボタン２６及び電源２７は、図１の第１実施形態における液晶表示部８、操作スイッチ９及び電池１０に夫々対応する。また、キー出し入れセンサ３０は、固定接点５ａと可動接点５ｂとで構成された検出スイッチ型キー出し入れセンサ５に対応する。
【００２６】
本発明に係る施錠確認支援装置において、利用者がキーケース１からキーＫを取り出すと、キー出し入れセンサ３０はキー取り出し信号を発生する。すると、制御回路２１はメモリ２２に記憶されている防災・防犯メッセージやマークを読み出し、表示回路２４を制御して液晶表示素子２５に表示し、利用者に火の始末・戸締まりの確認を促す。
【００２７】
施錠後に利用者がキーＫをキーケース１に戻すと、キー出し入れセンサ３０はキー戻し信号を発生する。すると、制御回路３１はクロック２３が計時している現在時刻を施錠時刻としてメモリ２２に記憶し且つ表示回路２４を制御して液晶表示素子２５に前記施錠時刻を表示させる。この施錠時刻の表示を見て、利用者は施錠したことと防災・防犯の確認をしたことを、自分の脳裏に明瞭に記憶することができる。メモリ２２に記憶されている施錠時刻は、電子装置２０に設けられている操作ボタン２６を操作すると液晶表示素子２５に再表示される。これによって、利用者は施錠したことと防災・防犯の確認をしたことを再確認することができる。
【００２８】
【発明の効果】
本発明により、様々な形状と寸法のキーを保持すると共に、キー出し入れセンサを操作できるキー保持機構を備えた施錠確認支援装置を提供することができた。  また、カム状おさえ部材の逃げ空間の厚みと電子部品等収納室の厚みを共用出来るため、施錠確認支援装置の薄型化が可能になった。更に、本発明に係る施錠確認支援装置では、検出型キー出し入れセンサをリモコンや電卓の押しボタンスイッチ等で用いられているメンブレンスイッチで構成し、同一基板上に作成することが容易であり、コスト低減および信頼性向上が図れるようになった。
【図面の簡単な説明】
【図１】キーＫがキーケースに収納された状態の本発明に係る施錠確認支援装置の第１実施形態の断面図である。
【図２】キーＫがキーケースから取り出された状態で示した第１実施形態の施錠確認装置の動作説明図である。
【図３】薄いキーＫがキーケースに収納された状態で示した第１実施形態の施錠確認装置の動作説明図である。
【図４】厚いキーＫがキーケースに収納された状態で示した第１実施形態の施錠確認装置の動作説明図である。
【図５】本発明に係る施錠確認支援装置の第２実施形態の部分断面図（Ａ）と部分底面図（Ｂ）である。
【図６】第２実施形態に採用されているカム状押え部材と押えバネの一実施例を拡大した平面図（Ａ）と側面図（Ｂ）である。
【図７】本発明に係る施錠確認支援装置の回路ブロック図である。
【符号の説明】
１  キーケース
１ａ  隔壁
１ｂ  キー収納室
１ｃ  電子部品等収納室
１ｄ  キー出入口
１ｅ  透明窓
２  カム状押え部材
３  回転軸
４  押えバネ
５  キー出し入れセンサ
５ａ  固定接点
５ｂ  可動接点
６  印刷回路板
７  電子回路部
８  液晶表示部
９  操作スイッチ
１０  電池
２０  電子時計
２１  制御回路
２２  メモリ
２３  クロック
２４  表示回路
２５  表示素子
２６  操作ボタン
２７  電源
３０  キー出し入れセンサ
Ｋ  キー
【図１】
2004332481.tif 000003
【図２】
2004332481.tif 000004
【図３】
2004332481.tif 000005
【図４】
2004332481.tif 000006
【図５】
2004332481.tif 000007
【図６】
2004332481.tif 000008
【図７】
2004332481.tif 000009